(57)【要約】【課題】隣接する厚みの異なるパネル部材同士の表面を面一に揃えることが可能なパネル部材の取付構造を提供する。【解決手段】天井面Ｒに沿って側方に延びる横板部４Ｇ、及び横板部４Ｇの一方の端部から床面Ｆまで延びる縦板部４Ｅを有する正面視逆Ｌ字状の正面壁体と、縦板部４Ｅの内側面から奥行方向に延びる側面壁体４Ｃと、横板部４Ｇの下端面と側面壁体４Ｃの上端面とに亘って奥行方向に延びる上面壁体４Ｆと、により内部に内部空間Ｚを形成する。【選択図】図１
2020070700.tif 000002
【特許請求の範囲】
【請求項１】
天井面に沿って側方に延びる横板部、及び該横板部の一方の端部から床面まで延びる縦板部を有する正面視逆Ｌ字状の正面壁体と、前記縦板部の内側面から奥行方向に延びる側面壁体と、前記横板部の下端面と前記側面壁体の上端面とに亘って奥行方向に延びる上面壁体と、により内部に空間を形成することを特徴とするブース装置。
【請求項２】
前記側面壁体と前記上面壁体の奥端部に亘って配置され、背面側を閉塞する背面壁体を備えていることを特徴とする請求項１に記載のブース装置。
【請求項３】
床面から天井面まで延びる支柱により前記正面壁体と前記側面壁体と前記背面壁体とが支持されていることを特徴とする請求項２に記載のブース装置。
【請求項４】
前記上面壁体及び前記側面壁体の間と、前記上面壁体及び前記背面壁体の間には、横方向に連続する横目地が形成されていることを特徴とする請求項２または３に記載のブース装置。
【請求項５】
前記支柱には、前記側面壁体の上端面及び前記背面壁体の上端面に沿って延びる横目地材が取付けられており、前記上面壁体は、前記横目地材に載置されて支持されていることを特徴とする請求項３または４に記載のブース装置。
【請求項６】
前記ブース装置は、床面から天井面まで延びる複数の支柱と、前記支柱が露出しないように該支柱の周囲を囲って取付けられる複数のパネル部材と、により形成されていることを特徴とする請求項１ないし５のいずれかに記載のブース装置。
【発明の詳細な説明】
【技術分野】
【０００１】
本発明は、独立した空間を形成するブース装置に関する。
【背景技術】
【０００２】
オフィス、会議室、ショールーム、店舗等の室内を所定の区画に仕切り、所望の小区画のレイアウトを実現する際には、複数のパネル部材を左右または前後等の所定の方向に連設して室内を左右または前後方向に区画する工法が用いられている。また、複数のパネル部材を利用した装置として、複数のパネル部材により周囲を囲うように配置して独立性の高い内部空間を形成するブース装置も利用されつつある。
【０００３】
例えば、特許文献１のように、四隅に支柱を配置し、支柱間にパネル部材を配置してなるブース装置が知られている。このブース装置は、側方の４面のうち１面に出入口用の扉が形成されており、扉を閉塞することにより、４面がパネル部材及び扉により囲われた独立性の高い内部空間を形成できるようになっている。
【先行技術文献】
【特許文献】
【０００４】
【特許文献１】特開２０１７−１１０３８７号公報（第３頁、第１図）
【発明の概要】
【発明が解決しようとする課題】
【０００５】
しかしながら、特許文献１のブース装置にあっては、側壁が連続して４面形成されているため、独立性の高い内部空間を形成できるが、該内部空間が室内の天井面に連続しているため、室内の天井面が高い場合には、内部空間が上方に亘って大きく形成されてしまい、落ち着きのある内部空間を形成できない虞があった。
【０００６】
本発明は、このような問題点に着目してなされたもので、落ち着きのある内部空間を形成できるブース装置を提供することを目的とする。
【課題を解決するための手段】
【０００７】
前記課題を解決するために、本発明のブース装置は、
天井面に沿って側方に延びる横板部、及び該横板部の一方の端部から床面まで延びる縦板部を有する正面視逆Ｌ字状の正面壁体と、前記縦板部の内側面から奥行方向に延びる側面壁体と、前記横板部の下端面と前記側面壁体の上端面とに亘って奥行方向に延びる上面壁体と、により内部に空間を形成することを特徴としている。
この特徴によれば、例えば、部屋の壁に側面壁体の上面壁体側の面が対向するようにブース装置を配置する、または一対の側面壁体を有するブース装置を構成することで、正面壁体から延設される側面壁体及び上面壁体を利用した簡単な構造により、室内の壁面や天井面とは独立した落ち着きのある内部空間を形成できる。また、正面壁体は、上下方向に幅を有する横板部と、左右方向に幅を有する縦板部と、により存在感があり、該正面壁体の内側に内部空間が形成されるので、内部空間の独立性を強調することができる。
【０００８】
前記側面壁体と前記上面壁体の奥端部に亘って配置され、背面側を閉塞する背面壁体を備えていることを特徴としている。
この特徴によれば、背面壁体により背面側が閉塞されるので独立性の高いブース装置を構成できる。
【０００９】
床面から天井面まで延びる支柱により前記正面壁体と前記側面壁体と前記背面壁体とが支持されていることを特徴としている。
この特徴によれば、支柱により正面壁体と側面壁体と背面壁体を自立させることができるので、ブース装置の設置自由度が高い。また、同じ支柱に正面壁体と側面壁体とが支持されているので、正面壁体と側面壁体との一体感を簡単に演出することができる。
【００１０】
前記上面壁体及び前記側面壁体の間と、前記上面壁体及び前記背面壁体の間には、横方向に連続する横目地が形成されている。
この特徴によれば、ブース装置内の空間に横目地を形成できるので、ブース装置の内部空間に横方向の広がりを視覚的に演出できる。
【００１１】
前記支柱には、前記側面壁体の上端面及び前記背面壁体の上端面に沿って延びる横目地材が取付けられており、前記上面壁体は、前記横目地材に載置されて支持されていることを特徴としている。
この特徴によれば、横目地を簡便に構成することができる。
【００１２】
前記ブース装置は、床面から天井面まで延びる複数の支柱と、前記支柱が露出しないように該支柱の周囲を囲って取付けられる複数のパネル部材と、により形成されていることを特徴としている。
この特徴によれば、簡便な構成により自立するブース装置を構成することができるとともに、支柱が外部から露見しないので美観に優れる。
【図面の簡単な説明】
【００１３】
【図１】本発明の実施例におけるブース装置を示す斜視図である。
【図２】間仕切パネル装置の分解斜視図である。
【図３】ブース装置の下部構造を示す斜視図である。
【図４】図３の分解斜視図である。
【図５】上部構造を分解して示すブース装置の斜視図である。
【図６】ブース装置の側断面図である。
【図７】（ａ）はブース装置の縦板部近傍の構造を示す上面断面図、（ｂ）はブース装置の背面壁体と間仕切パネル装置との連結部分の構造を示す上面断面図である。
【図８】ブース装置の配置の変形例を示す斜視図である。
【発明を実施するための形態】
【００１４】
本発明に係るブース装置を実施するための形態を実施例に基づいて以下に説明する。
【実施例】
【００１５】
実施例に係るブース装置につき、図１から図７を参照して説明する。以下、図６の紙面左側をブース装置の正面側（前方側）とし、紙面手前側をブース装置の右側として説明する。
【００１６】
図１に示されるように、ブース装置１は、主に室内のオフィス空間やショールーム等の空間に独立性の高い空間を区画するために設置されるものであり、例えば、ミーティングスペースとして活用される。本実施例では、ブース装置１と、室内の空間を区分けする間仕切パネル装置１０と、を組合わせ、室内の空間を利用目的に合わせて所望の形状に区画している。
【００１７】
先ず、間仕切パネル装置１０について説明する。図２に示されるように、間仕切パネル装置１０は、主に、左右方向に複数立設された支柱２と、これら支柱２の間に高さ方向に複数架けられた中間部材３と、笠木レール５、巾木レール６、中間部材３により形成される枠に支持される複数のパネル部材４とにより構成されている。
【００１８】
支柱２は、アルミ材の押し出し加工により製作された上下方向に延びる長尺部材であり、天井面Ｒに沿って左右方向に延びる笠木レール５と、床面Ｆに沿って左右方向に延びる巾木レール６と、の間に立設されている。支柱２の上端には、取付金具１１が取付けられており、取付金具１１を介して笠木レール５に取付けられている。また、支柱２の下端は、巾木レール６を上方から被覆する横フレーム９に接続されており、この横フレーム９と巾木レール６との間には、横フレーム９の高さを調整可能な高さ調整装置１２が左右方向に離間して複数配置されている。なお、支柱２は、薄肉鋼板を曲げ加工することにより製作されていてもよい。
【００１９】
また、支柱２の前面２ａ及び後面２ｂには、取付部材７が支柱２の長手方向に沿って所定間隔毎に取付けられており、取付部材７に対してビスやフック等の図示しない連結部材によりパネル部材４が取付けられている。
【００２０】
中間部材３は、薄肉鋼板を曲げ加工することにより製作された左右方向に延びる長尺部材であり、支柱２の前面２ａ及び後面２ｂに上下に離間して２つ取付けられている。本実施例１の中間部材３は、上下に連結される３つの分割部材３Ａ，３Ｂ，３Ｃから構成されている。尚、ここでは、前側の中間部材３について説明する。
【００２１】
中間部材３において上段に位置する分割部材３Ａは、上方に開口する上向きコ字状を成し、底部３ａと、底部３ａの前端から立ち上がる前片部３ｂと、底部３ａの後端から立ち上がる後片部３ｃと、から構成されており、前片部３ｂは、後片部３ｃよりも上下方向に短寸に形成されている。尚、下段に位置する分割部材３Ｂは、分割部材３Ａを天地反転させた形状であるため、各部位に同一符号を付して説明を省略する。
【００２２】
中段に位置する分割部材３Ｃは、平板状を成し、上面に分割部材３Ａの底部３ａが溶接固定され、下面に分割部材３Ｂの底部３ａが溶接固定されている。尚、分割部材３Ａ，３Ｂは、分割部材３Ｃの後端側の辺に沿って固定されており、分割部材３Ｃの前端側は、分割部材３Ａ，３Ｂの前片部３ｂよりも前方側に張り出している。
【００２３】
このように形成された中間部材３は、分割部材３Ａ，３Ｂの後片部３ｃ，３ｃが支柱２の前面２ａにビスなどで固定されている。また、分割部材３Ｃの前端部には、パネル部材４の下端が載置されるようになっており、パネル部材４を支持できるようになっている。すなわち、上下に連設されるパネル部材４の間には、分割部材３Ｃにより横目地１０ａが形成されている（図１参照）。尚、パネル部材４の裏面側の上下端部には、図示しないフックが設けられており、分割部材３Ａ，３Ｂの前片部３ｂ，３ｂに上方向または下方向から係止されるようになっている。
【００２４】
パネル部材４は、薄肉鋼板を曲げ加工することにより成形された正面視矩形状の表面材と、該表面材の裏面に取付けられた断熱材と、から構成されている。本実施例では、支柱２の前面２ａ及び後面２ｂに上下３段ずつ取付けられている。
【００２５】
具体的には、上段のパネル部材４は、左右の支柱２と、笠木レール５と、上側の中間部材３と、で形成される矩形枠に取付けられており、中段のパネル部材４は、左右の支柱２と、上下の中間部材３と、で形成される矩形枠に取付けられており、下段のパネル部材４は、左右の支柱２と、巾木レール６と、下側の中間部材３と、で形成される矩形枠に取付けられている。
【００２６】
前後に配置される上段のパネル部材４，４の上端部の間には、上段のパネル部材４，４の前後方向の距離を保持する介在部材８が配設されており、上段のパネル部材４，４の上端部同士が近接することを防止している。また、下段のパネル部材４，４の下端部の間には、横フレーム９が配置されており、下段のパネル部材４，４の下端部同士が近接することを防止している。
【００２７】
次に、ブース装置１について説明する。図１に示されるように、ブース装置１は、左右の間仕切パネル装置１０の間に配置されており、室内空間とは独立した内部空間Ｚを有し、内部空間Ｚには、テーブル１３や椅子１４が配置されている。このブース装置１は、下部構造１Ａと上部構造１Ｂとを備えている。
【００２８】
図３に示されるように、ブース装置１の下部構造１Ａは、床面Ｆから天井面Ｒまで延びる８本の支柱２Ａ〜２Ｈと、支柱２Ａ〜２Ｈの周囲を囲うように取付けられる５種類のパネル部材４Ａ〜４Ｅと、から主に構成されており、上面視において前方に開口する略コ字形状を成している。尚、本実施例では、支柱２Ａ〜２Ｈは断面視矩形状を成す形態を例示するが、断面視コ字状などであってもよい。
【００２９】
具体的には、図３及び図４に示されるように、支柱２Ａ〜２Ｄは、下部構造１Ａの外側の四隅に配置され、支柱２Ｅ〜２Ｈは、下部構造１Ａの内側の四隅に配置されている。尚、支柱２Ａ〜２Ｈの上下端には、笠木レール５及び巾木レール６が配設されている（図６参照）。
【００３０】
外側の四隅に配置された支柱２Ａ，２Ｃ間、支柱２Ｂ，２Ｄ間は、横杆部材１５Ａにより連結されており、支柱２Ｃ，２Ｄ間は、横杆部材１５Ｂにより連結されている。また、下部構造１Ａの内側の四隅に配置された支柱２Ｅ，２Ｇ間、支柱２Ｆ，２Ｈ間は、横杆部材１５Ｃにより連結されており、支柱２Ｇ，２Ｈ間は、横杆部材１５Ｄにより連結されている。また、前方に配置される支柱２Ａ，２Ｅ間、支柱２Ｂ，２Ｆ間は、横杆部材１５Ｅにより連結されており、支柱２Ｅ，２Ｆ間は、横杆部材１５Ｆにより連結されている。
【００３１】
横杆部材１５Ａ〜１５Ｅは、各支柱２Ａ〜２Ｈの上端よりも下方の位置、下端よりも上方の位置に２本ずつ設けられている。また、横杆部材１５Ｆは、上段に設置される横杆部材１５Ａ〜１５Ｅよりも若干高い位置で支柱２Ｅ，２Ｆ間に設けられている（図６参照）。
【００３２】
パネル部材４Ａは、支柱２Ａ，２Ｃ及び横杆部材１５Ａにより構成された上段の矩形枠及び下段のコ字状枠と、支柱２Ｂ，２Ｄ及び横杆部材１５Ａにより構成された上段の矩形枠及び下段のコ字状枠と、に取付けられており、下部構造１Ａの外側の側面部を構成している。パネル部材４Ｂは、支柱２Ｃ，２Ｄ及び横杆部材１５Ｂにより構成された上段の矩形枠及び下段のコ字状枠に付けられており、下部構造１Ａの外側の背面部を構成している。パネル部材４Ｃは、支柱２Ｅ，２Ｇ及び横杆部材１５Ｃにより構成された上段の矩形枠及び下段のコ字状枠と、支柱２Ｆ，２Ｈ及び横杆部材１５Ｃにより構成された上段の矩形枠及び下段のコ字状枠と、に取付けられており、下部構造１Ａの内側の側面部を構成している。パネル部材４Ｄは、支柱２Ｇ，２Ｈ及び横杆部材１５Ｄにより構成された上段の矩形枠及び下段のコ字状枠に付けられており、下部構造１Ａの内側の背面部を構成している。パネル部材４Ｅは、支柱２Ａ，２Ｅ及び横杆部材１５Ｅにより構成された上段の矩形枠及び下段のコ字状枠と、支柱２Ｂ，２Ｆ及び横杆部材１５Ｅにより構成された上段の矩形枠及び下段のコ字状枠と、に取付けられており、下部構造１Ａの正面部を構成している。
【００３３】
図５に示されるように、ブース装置１の上部構造１Ｂは、２本の横杆部材１５Ｃと横杆部材１５Ｄと横杆部材１５Ｆとで構成される矩形枠に取付けられる上面視矩形状のパネル部材４Ｆと、支柱２Ａ，２Ｂの上端部前面に取付けられるパネル部材４Ｇと、支柱２Ａ，２Ｃ及び支柱２Ｂ，２Ｄの上端部外側面に取付けられるパネル部材４Ｈと、支柱２Ｃ，２Ｄの上端部背面に取付けられるパネル部材４Ｊと、から主に構成されている。パネル部材４Ｇ，４Ｈ，４Ｊは、パネル部材４Ｅ，４Ａ，４Ｂの上端から笠木レール５に亘って面一をなすように延びている（図６参照）。
【００３４】
図１に戻って、ブース装置１の内部空間Ｚは、パネル部材４Ｃとパネル部材４Ｄとパネル部材４Ｆにより囲われた空間であり、その正面は、パネル部材４Ｇ及びパネル部材４Ｅにより縁取られている。すなわち、パネル部材４Ｃはブース装置１の側面壁体、パネル部材４Ｄはブース装置１の背面壁体、パネル部材４Ｆはブース装置１の上面壁体、パネル部材４Ｇ及びパネル部材４Ｅはブース装置１の正面壁体として機能している。また、パネル部材４Ｇは正面壁体の横板部、パネル部材４Ｅは正面壁体の縦板部として機能しており、１つのパネル部材４Ｇと２つのパネル部材４Ｅにより正面壁体が構成され正面視において下向きコ字状に形成されている。
【００３５】
このように、ブース装置１には、該ブース装置１の正面壁体（パネル部材４Ｇ及びパネル部材４Ｅ）から直交して奥行き方向に延設されるパネル部材４Ｃ，４Ｆと、パネル部材４Ｃ，４Ｆに直交して内部空間Ｚの背面側に配置され上下方向に延設されるパネル部材４Ｄと、を利用した簡単な構造により、室内の壁面や天井面とは独立した落ち着きのある内部空間Ｚを形成できる。具体的には、パネル部材４Ｃ，４Ｄにより側面及び背面を区画して周囲の視線を遮ることができるとともに、パネル部材４Ｆにより室内の天井面Ｒよりも低い位置に内部空間Ｚの天井部を構成できるため、プライバシーが確保され、且つ落ち着いた内部空間Ｚを構成できる。
【００３６】
また、天井面に沿って左右方向に延びるパネル部材４Ｇは、上下方向に幅を有するとともに、上下方向に延びるパネル部材４Ｅは、左右方向に幅を有することから、パネル部材４Ｇ，４Ｅにより構成される正面壁体は、正面から見て存在感があり、内部空間Ｚは、パネル部材４Ｇ，４Ｅにより縁取られているので、該内部空間Ｚの独立性が強調される。尚、パネル部材４Ｇの上下幅は、パネル部材４Ｅの左右幅よりも広く形成されているので、パネル部材４Ｆが低い位置にあることを強調でき、落ち着いた内部空間Ｚを構成できるとともに、パネル部材４Ｆ，４Ｇ，４Ｈ，４Ｊにより囲まれた空間を有効活用できる。例えば、パネル部材４Ｆ，４Ｇ，４Ｈ，４Ｊで囲まれた空間に照明装置や音響装置等を配置することができる。また、パネル部材４Ｅの左右幅は、支柱２の左右幅よりも幅広であり、好ましくは、２本の支柱２よりも幅広に形成されている。これによれば、パネル部材４Ｅの左右両端に配置されるパネル部材４Ａ，４Ｃの左右の離間幅を大きくとることができるので、パネル部材４Ａ，４Ｃ，４Ｅで囲まれた空間を有効活用することができる。例えば、パネル部材４Ａ，４Ｃ，４Ｅで囲まれた空間に照明装置や音響装置等を配置することができる。
【００３７】
また、ブース装置１は、床面Ｆから天井面Ｒまで延びる複数の支柱２Ａ〜２Ｈと、支柱２Ａ〜２Ｈが露出しないように該支柱２Ａ〜２Ｈの周囲を囲って取付けられる複数のパネル部材４Ａ〜４Ｊと、により形成されている。すなわち、間仕切パネル装置１０を構成する部材と同じ部材を利用して自立するブース装置１を構成することができるとともに、支柱２Ａ〜２Ｈが外部から露見しないので美観に優れる。また、各パネル部材４Ａ〜４Ｊが支柱２Ａ〜２Ｈに支持されて自立しているので、ブース装置１の設置位置が室内の壁際等に限定されず自由な位置に設置することができる。また、支柱やパネル部材の数量やサイズ、配置を変更することで、ブース装置の形状を自由に構成できる。
【００３８】
また、図１、図３、図６に示されるように、上下に連設されるパネル部材４Ａ〜４Ｊの間には、横目地４１が形成されている。図６に示されるように、横杆部材１５Ａ〜１５Ｅにおけるパネル部材側の面には、横目地部材１６または横目地部材１７が固着されており、横目地部材１６または横目地部材１７を介してパネル部材４Ａ〜４Ｊが上下に連設されることで横目地４１が形成されている。
【００３９】
横目地部材１６は、上段の横杆部材１５Ｃ，１５Ｄに取付けられ、パネル部材４Ｆ（上面壁体）と上段のパネル部材４Ｃ（側面壁体）との間、パネル部材４Ｆ（上面壁体）とパネル部材４Ｄ（背面壁体）との間に横目地４１を形成するものである。また、横目地部材１７は、上下段の横杆部材１５Ａ，１５Ｂと下段の横杆部材１５Ｃ，１５Ｄに取付けられ、上下に連設される上記以外のパネル部材の間に横目地４１を形成するものである。
【００４０】
先ず、横目地部材１６について図６に基づいて説明する。尚、ここでは、パネル部材４Ｆとパネル部材４Ｄとの間に横目地４１を形成する横目地部材１６を例に挙げ説明する。
【００４１】
横目地部材１６は、上段の横杆部材１５Ｄの前面に沿って左右方向に延びる基部１６ａと、基部１６ａの上下中央部から前方へ延びる水平片部１６ｂと、水平片部１６ｂの前端よりも後方側の位置から下方に延出する垂下片部１６ｃと、を備えている。基部１６ａは、上段の横杆部材１５Ｄの前面にボルトなどの連結部材や溶接等により固着されている。パネル部材４Ｆは、その後端側の側縁が基部１６ａ及び水平片部１６ｂにより形成された段部に載置支持されている。一方、パネル部材４Ｄは、その上端側の側縁が水平片部１６ｂ及び垂下片部１６ｃにより形成された段部に嵌合されている。
【００４２】
すなわち、水平片部１６ｂは、パネル部材４Ｄの上端面に沿って延びており、パネル部材４Ｆとパネル部材４Ｄとで上下方向に狭持されるようになっており、水平片部１６ｂの板厚によりパネル部材４Ｆとパネル部材４Ｄとの間に横目地４１が形成される。尚、垂下片部１６ｃの前面から水平片部１６ｂの前端面までの距離は、パネル部材４Ｄの板厚よりも短く形成されているため、水平片部１６ｂがパネル部材４Ｄの前面よりも奥側に配置されることとなり、パネル部材４Ｆとパネル部材４Ｄとの間に形成される影により横目地４１を強調することができる。また、パネル部材４Ｆとパネル部材４Ｃとの間にも横目地４１が形成される。すなわち、パネル部材４Ｆとパネル部材４Ｄとの間に形成される横目地４１とパネル部材４Ｆとパネル部材４Ｃとの間に形成される横目地４１とが同じ高さ位置で連続的に連なっているため、内部空間Ｚに横方向の広がりを視覚的に演出でき、落ち着いた空間を演出できる。
【００４３】
また、パネル部材４Ｆは、上段の各横杆部材１５Ｃ，１５Ｄに取付けられる横目地部材１６によりパネル部材４Ｆの左右の側縁と内部空間Ｚの背面側の側縁とが載置支持されるので、安定的に支持されるようになっている。また、パネル部材４Ｆの前方側の側縁は、横杆部材１５Ｆの下方に配置されているとともに、その前方側にパネル部材４Ｇが配置されるので、外力によるパネル部材４Ｆの浮き上がりや前方側への抜け出しが防止される。また、パネル部材４Ｆの内部空間Ｚの背面側の端面は横目地部材１６の基部１６ａに接触している。すなわち、パネル部材４Ｆは、横目地部材１６と横杆部材１５Ｆにより前後の２点で支持されているので、パネル部材４Ｆを安定的に支持することができる。
【００４４】
次に、横目地部材１７について図６に基づいて説明する。尚、ここでは、上下段のパネル部材４Ｄの間に横目地４１を形成する横目地部材１７を例に挙げ説明する。
【００４５】
横目地部材１７は、下段の横杆部材１５Ｂの前面に沿って左右方向に延びる基部１７ａと、基部１７ａの上下中央部から前方へ延びる水平片部１７ｂと、水平片部１７ｂの前端よりも後方側の位置から上方及び下方に延出する垂直片部１７ｃ，１７ｄと、を備えている。基部１７ａは、下段の横杆部材１５Ｂの前面にボルトなどの連結部材や溶接等により固着されている。上段のパネル部材４Ｄは、その下端側の側縁が水平片部１７ｂと垂直片部１７ｃとで形成された段部に載置支持されている。一方、下段のパネル部材４Ｄは、その上端側の側縁が水平片部１７ｂ及び垂直片部１７ｄとで形成された段部に嵌合されている。
【００４６】
すなわち、水平片部１７ｂは、上下段のパネル部材４Ｄにより上下方向に狭持されるようになっており、水平片部１７ｂの板厚により上下段のパネル部材４Ｄの間に横目地４１が形成される。尚、垂直片部１７ｃ，１７ｄの前面から水平片部１７ｂの前端面までの距離は、パネル部材４Ｄの板厚よりも短く形成されているため、水平片部１７ｂがパネル部材４Ｄの前面よりも奥側に配置されることとなり、上下段のパネル部材４Ｄの間に形成される影により横目地４１を強調することができる。
【００４７】
また、図１に戻って、各横目地４１は、ブース装置１の外形に沿って無端状を成すように左右方向に連続して形成されているので、ブース装置１のデザイン性が向上するとともに、内部空間Ｚに横方向の広がりを視覚的に演出できる。さらに、ブース装置１の横目地４１は、間仕切パネル装置１０の横目地１０ａと連続するようになっているため、ブース装置１と間仕切パネル装置１０との連続性が向上し、見栄えが良い。
【００４８】
また、横目地部材１６，１７を上下に連設されるパネル部材間に介在させるだけで横目地４１を形成することができるので、横目地４１を形成する作業が簡便である。
【００４９】
次いで、支柱２Ａ〜２Ｈに対するパネル部材４Ａ〜４Ｊの取付態様について図７に基づいて説明する。尚、ここでは、支柱２Ａ，２Ｅに対するパネル部材４Ａ，４Ｃ，４Ｅの取付態様と、支柱２Ｃ近傍のパネル部材４Ａ，４Ｂ及び間仕切パネル装置１０のパネル部材４の取付態様について説明する。
【００５０】
図７（ａ）に示されるように、支柱２Ａの前方右側の角部には、取付部材７１が取付けられている。この取付部材７１は、支柱２Ａの右側面に対して平行に延びる支持部７１ａと、支柱２Ａの前面に対して平行に延びる支持部７１ｂと、を備えている。取付部材７１が支柱２Ａの角部に取付けられた状態にあっては、支持部７１ａが支柱２Ａの右側面よりも右方に位置し、支持部７１ｂが支柱２Ａの前面よりも前方に位置するようになっている。また、支柱２Ｅの前方左側の角部にも取付部材７１が取付けられているが、支柱２Ａに取付けられる取付部材７１と同一構成であるため、説明を省略する。
【００５１】
パネル部材４Ａ，４Ｃが左右の取付部材７１の支持部７１ａに所定の連結部材２０により接続されているとともに、パネル部材４Ｅが左右の取付部材７１の支持部７１ｂに亘って連結部材２０により接続されている。形状やサイズの異なる取付部材７１を用意しておけば、ブース装置１の大きさや形状を適宜変更することができる。例えば、左右のパネル部材の間隔が異なるパネル部材を前後に連設することができる。尚、本実施例の連結部材２０は、取付部材側とパネル部材側にフックを有するフック部材を想定しているが、ビスやボルトナット等であってもよい。
【００５２】
また、図７（ｂ）に示されるように、支柱２Ｃの後方右側の角部には、取付部材７１が取付けられており、支持部７１ａにはパネル部材４Ａが取付けられ、支持部７１ｂにはパネル部材４Ｂが取付けられている。また、パネル部材４Ｂの右側には、間仕切パネル装置１０のパネル部材４が連続するように配置されており、パネル部材４Ｂ及びパネル部材４の背面側には、間仕切パネル装置１０の支柱２が配置されている。この支柱２の前面には、断面矩形状の取付部材７２が固定されており、取付部材７２の前面左側には、連結部材２０によりパネル部材４Ｂの右端縁が取付けられており、取付部材７２の前面右側には、連結部材２０によりパネル部材４の左端縁が取付けられている。
【００５３】
このように、間仕切パネル装置１０を構成する部材と同じ部材を利用して自立するブース装置１を簡便に構成することができるとともに、ブース装置１と間仕切パネル装置１０とを組合わせることにより室内空間を自由に区画できる。
【００５４】
また、ブース装置の配置に関する変形例として次のようなものもある。図８に示されるように、ブース装置１’は、室内の角部を構成する一方の側壁Ｗ１に沿って配置され、間仕切パネル装置１０は、室内の角部を構成する他方の側壁Ｗ２に沿って配置されており、ブース装置１’と間仕切パネル装置１０とは、室内の角部に配置され２つの小部屋に区画する区画装置３０を介して連設されている。尚、間仕切パネル装置１０は、室内側にのみパネル部材４が配置されており、側壁Ｗ２側にはパネル部材４が配置されていない。間仕切パネル装置１０の支柱２は、室内側のパネル部材４よりも側壁Ｗ２側に配置されているので、露見しないようになっており見栄えが良い。また、ブース装置１’はパネル部材４Ｂ，４Ｊの構成も省略されている。
【００５５】
区画装置３０は、側壁Ｗ１及び側壁Ｗ２に沿って配置される壁部（図示略）と、ブース装置１’側に配置される壁部３１と、正面側（側壁Ｗ２に沿って配置される壁部と壁部３１との間）に配置される壁部３２と、前記壁部及び壁部３１，３２により囲まれた空間を左右に区画する壁部（図示略）と、を備えている。各壁部は、床面から天井面まで延びているとともに、床面から天井面まで延びる複数の支柱（図示略）により支持されている。本変形例では、壁部３１がブース装置１’の内部空間Ｚを構成する側面壁体として機能している。尚、本変形例の壁部３１は、上下３枚のパネル部材３１ａ，３１ｂ，３１ｃから構成されており、パネル部材３１ａは、ブース装置１’のパネル部材４Ｇと上下同一幅を成し、パネル部材３１ｂ，３１ｃは、パネル部材４Ｄと上下同一幅を成している。パネル部材３１ａ，３１ｂ，３１ｃの間には、ブース装置１’の横目地４１と連続する横目地３８が形成されている。
【００５６】
また、壁部３１の前端には、上面視略Ｌ字状のガラスパネル３３が配置されている。また、壁部３２は、左右に離間して配置されるガラス製の扉部材３４，３５と、扉部材３４，３５の間に配置されるガラスパネル３６と、扉部材３５と側壁Ｗ２に沿って配置される壁部との間に配置されるガラスパネル３７と、から構成されている。ガラスパネル３６は、区画装置３０を左右に区画する前記壁部の前端に配置されており、扉部材３５，３６は、区画装置３０の左右の空間（小部屋）にそれぞれ対応して配置されている。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、ブース装置１の正面壁体がパネル部材４Ｇ及びパネル部材４Ｅにより正面視下向きコ字状を成す形態を説明したが、正面壁体は、パネル部材４Ｇと少なくとも一方のパネル部材４Ｅとを有していればよい。例えば、正面壁体がパネル部材４Ｇと一方のパネル部材４Ｅとで正面視逆Ｌ字状に形成される場合、パネル部材４Ｇにおける一方のパネル部材４Ｅとは反対側の端部が任意の壁部（室内の側壁等）に接するようにブース装置を配置することで、任意の壁部とパネル部材４Ｃ，４Ｄ，４Ｆとにより独立した内部空間を形成できる。
【００５９】
また、前記実施例では、パネル部材４Ｄがブース装置１の背面壁体を構成する形態を例示したが、これに限られず、少なくとも一方の側面壁体と上面壁体とを有していれば、背面壁体の構成を省略してもよい。
【００６０】
また、前記実施例では、正面が開口するようにブース装置１が形成されていたが、例えば、ブース装置１の前面に扉などを設置してプライバシー性を向上させるようにしてもよい。また、前記実施例では、パネル部材が薄肉鋼板を曲げ加工することにより成形された正面視矩形状の表面材と、該表面材の裏面に取付けられた断熱材と、から構成されている形態を例示したが、例えば、液晶ディスプレイ等の表示装置をパネル部材としてもよいし、ガラスパネル等の透光性を有する部材により構成されていてもよい。
【００６１】
また、前記実施例では、各パネル部材４Ａ〜４Ｊを複数の支柱２Ａ〜２Ｈの周囲に固定してブース装置１を構成していたが、例えば、正面壁体、側面壁体、上面壁体を一体的に連結したパネル構造体を一本の支柱に対して支持させるようにしてもよい。また、正面壁体、側面壁体、上面壁体を一体的に連結したパネル構造体が自立可能であれば支柱の構成を省略してもよい。
【００６２】
また、前記実施例では、横目地部材１６，１７は、横杆部材１５Ａ〜１５Ｃに取付けられる形態を例示したが、横目地部材と横杆部材とが一体的に形成されていてもよい。また、横目地部材１６，１７は、横杆部材１５Ａ〜１５Ｃに沿って横方向に延設される形態を例示したが、横方向に複数分割されていてもよい。
【００６３】
また、前記実施例では、ブース装置１と間仕切パネル装置１０とを組合わせて室内を区画する形態を例示したが、ブース装置１を単体で室内に配置してもよい。
【００６４】
また、前記実施例では、別個に設けられたブース装置１と間仕切パネル装置１０とが組合わされる形態を例示したが、例えば、ブース装置１のパネル部材を間仕切パネル装置１０のパネル部材として利用してもよいし、間仕切パネル装置１０のパネル部材をブース装置１のパネル部材として利用してもよい。すなわち、ブース装置１と間仕切パネル装置１０とに渡ってパネル部材が配設されていてもよい。
【００６５】
また、前記実施例では、ブース装置１の一面にパネル部材が上下３段連設される形態を例示したが、これに限られず、ブース装置１の一面に対して１枚のパネル部材が取付けられる形態であってもよいし、ブース装置１の一面に対してパネル部材が上下２段、または４段以上連設されてもよい。
【符号の説明】
【００６６】
１                ブース装置
１Ａ              下部構造
１Ｂ              上部構造
２，２Ａ〜２Ｈ    支柱
４，４Ａ〜４Ｊ    パネル部材
１０              間仕切パネル装置
１０ａ            横目地
１５Ａ〜１５Ｄ    横杆部材
１６，１７        横目地部材
４１              横目地
７１，７２        取付部材
７２              取付部材
Ｚ                内部空間
【図１】
2020070700.tif 000003
【図２】
2020070700.tif 000004
【図３】
2020070700.tif 000005
【図４】
2020070700.tif 000006
【図５】
2020070700.tif 000007
【図６】
2020070700.tif 000008
【図７】
2020070700.tif 000009
【図８】
2020070700.tif 000010